(57)【特許請求の範囲】
【請求項１】
撮像部により撮像された画像信号と上記画像信号に関する付随データとを分離可能に、記録媒体上の画像信号の記録エリアに記録する方法であって、
撮像部により撮像された画像信号を記録媒体に記録する際に、上記撮像部の特定設定状態を表示部の特定領域に表示するとともに、上記撮像部の設定状態を、撮像部設定データに変換して上記付随データのひとつとして付随データの種別を表すヘッダを付与して上記記録エリアの特定のエリアに記録し、
上記記録媒体から上記画像信号を再生する際に、選択的に設定される出力形態に応じて、第１の出力形態では、上記記録媒体から上記付随データを画像信号と分離可能に再生し、再生画像信号により表示される画像の撮像時の撮像部設定状態を上記表示部の特定領域に一括表示する表示データに上記撮像部設定データを変換して出力し、
第２の出力形態では上記表示データの出力を禁止することを特徴とする記録再生方法。
【請求項２】
上記撮像部設定データとともに撮像日時を示す日時データを上記画像信号と分離可能に、上記付随データのひとつとして付随データの種別を表すヘッダを付与して上記画像信号の記録エリアに記録し、
上記記録媒体から画像信号を再生する際に、上記第１の出力形態では、上記記録媒体から画像信号と分離可能に上記撮像部設定データ又は日時データを再生し、再生した上記撮像部設定データ又は日時データを選択的に表示データに変換して出力することを特徴とする請求項１記載の記録再生方法。
【請求項３】
撮像部により撮像された画像信号と上記画像信号に関する付随データとを分離可能に、記録媒体上の画像信号の記録エリアに記録する記録手段と、
上記記録媒体から画像信号と上記画像信号に関する付随データを分離可能に再生する再生手段と、
上記画像信号に関する付随データを表示する表示手段と、
出力形態を指定する指定手段と、
撮像部により撮像された画像信号を記録媒体に記録する際に、上記撮像部の特定設定状態を上記表示手段の特定領域に表示するとともに、上記撮像部の設定状態を、撮像部設定データに変換して上記付随データのひとつとして付随データの種別を表すヘッダを付与して上記記録エリアの特定のエリアに上記記録手段により記録し、上記記録媒体から上記画像信号を上記再生手段により再生する際に、上記指定手段により選択的に設定される出力形態に応じて、第１の出力形態では、上記記録媒体から上記付随データを画像信号と分離可能に再生し、再生画像信号により表示される画像の撮像時の撮像部設定状態を上記表示手段の特定領域に一括表示する表示データに上記撮像部設定データを変換して出力し、第２の出力形態では上記表示データの出力を禁止する制御手段と
を備えることを特徴とする記録再生装置。
【請求項４】
上記撮像部設定データとともに撮像日時を示す日時データを上記画像信号と分離可能に、上記付随データのひとつとして付随データの種別を表すヘッダを付与して上記画像信号の記録エリアに記録し、上記記録媒体から画像信号を再生する際に、上記第１の出力形態では、上記記録媒体から画像信号と分離可能に上記撮像部設定データ又は日時データを再生し、再生した上記撮像部設定データ又は日時データを選択的に表示データに変換して出力することを特徴とする請求項３記載の記録再生装置。
【発明の詳細な説明】
【０００１】
【発明の属する技術分野】
本発明は、撮像部により撮像された画像信号と上記画像信号に関する付随データとを分離可能に、記録媒体上の画像信号の記録エリアに記録する記録再生方法及び記録再生装置に関する。
【０００２】
【従来の技術】
一般に、記録媒体に記録する画像信号を得るための撮像部を備えたカメラ一体型ビデオテープレコーダでは、撮像時に、撮像環境に適した設定、例えば、絞りやシャッタースピードの設定や信号処理系におけるゲインやホワイトバランスの設定を行って、撮像部で得られた画像信号を記録媒体に記録するようになっている。上記絞りやシャッタースピードの設定や信号処理系におけるゲインやホワイトバランスの設定は、手動操作により行われたり、あるいは、自動モードで行われている。また、上記絞りやシャッタースピードの設定状態や信号処理系におけるゲインやホワイトバランスを設定状態などの各種設定状態を、ビューファインや液晶表示部で表示することにより、ユーザが確認できるようになっている。
【０００３】
【発明が解決しようとする課題】
ところで、従来のカメラ一体型ビデオテープレコーダでは、撮像時に各種設定状態をユーザが確認しながら、撮像部で得られた画像信号を記録媒体に記録することができるのであるが、上記撮像時の各種設定状態を後に確認することはできないので、上記記録媒体に記録された画像信号を再生するときに、上記画像信号の撮像時の設定状態を確認することできない。
【０００４】
ところで、近年、ビデオ信号の垂直ブランキング期間内に種々の制御信号、画像付随情報（画像に関する情報）音声付随情報（音声に関する情報）を放送電波内やパッケージメディアに挿入する動きがある。例えば、ＣＬＯＳＥＤ  ＣＡＰＴＩＯＮ、ＶＢＩＤ、ＥＤＴＶ２等である。これらのフォーマットを採用して、ビデオ信号の垂直ブランキング期間内に撮像時のカメラ設定データを挿入しておくことにより、画像信号とカメラ設定データを分離可能に記録媒体に記録することができる。
【０００５】
そこで、上述の如き従来の実状に鑑み、本発明の目的は、ユーザが出力形態を指定することにより、撮像部設定データを必要に応じて確認することができる記録再生方法及び記録再生装置を提供することにある。
【０００６】
さらに、本発明の他の目的は、ユーザが出力形態を指定することにより、撮像部設定データ又は撮像日時データを必要に応じて確認することができる記録再生方法及び記録再生装置を提供することにある。
【０００７】
【課題を解決するための手段】
本発明に係る記録再生方法は、撮像部により撮像された画像信号と上記画像信号に関する付随データとを分離可能に、記録媒体上の画像信号の記録エリアに記録する方法であって、撮像部により撮像された画像信号を記録媒体に記録する際に、上記撮像部の特定設定状態を表示部の特定領域に表示するとともに、上記撮像部の設定状態を、撮像部設定データに変換して上記付随データのひとつとして付随データの種別を表すヘッダを付与して上記記録エリアの特定のエリアに記録し、上記記録媒体から上記画像信号を再生する際に、選択的に設定される出力形態に応じて、第１の出力形態では、上記記録媒体から上記付随データを画像信号と分離可能に再生し、再生画像信号により表示される画像の撮像時の撮像部設定状態を上記表示部の特定領域に一括表示する表示データに上記撮像部設定データを変換して出力し、第２の出力形態では上記表示データの出力を禁止することを特徴とする。
【０００８】
また、本発明に係る記録再生方法は、上記撮像部設定データとともに撮像日時を示す日時データを上記画像信号と分離可能に、上記付随データのひとつとして付随データの種別を表すヘッダを付与して上記画像信号の記録エリアに記録し、上記記録媒体から画像信号を再生する際に、上記第１の出力形態では、上記記録媒体から画像信号と分離可能に上記撮像部設定データ又は日時データを再生し、再生した上記撮像部設定データ又は日時データを選択的に表示データに変換して出力することを特徴とする。
【０００９】
また、本発明に係る記録再生装置は、撮像部により撮像された画像信号と上記画像信号に関する付随データとを分離可能に、記録媒体上の画像信号の記録エリアに記録する記録手段と、上記記録媒体から画像信号と上記画像信号に関する付随データを分離可能に再生する再生手段と、上記画像信号に関する付随データを表示する表示手段と、出力形態を指定する指定手段と、撮像部により撮像された画像信号を記録媒体に記録する際に、上記撮像部の特定設定状態を上記表示手段の特定領域に表示するとともに、上記撮像部の設定状態を、撮像部設定データに変換して上記付随データのひとつとして付随データの種別を表すヘッダを付与して上記記録エリアの特定のエリアに上記記録手段により記録し、上記記録媒体から上記画像信号を上記再生手段により再生する際に、上記指定手段により選択的に設定される出力形態に応じて、第１の出力形態では、上記記録媒体から上記付随データを画像信号と分離可能に再生し、再生画像信号により表示される画像の撮像時の撮像部設定状態を上記表示手段の特定領域に一括表示する表示データに上記撮像部設定データを変換して出力し、第２の出力形態では上記表示データの出力を禁止する制御手段とを備えることを特徴とする。
【００１０】
さらに、本発明に係る記録再生装置は、上記撮像部設定データとともに撮像日時を示す日時データを上記画像信号と分離可能に、上記付随データのひとつとして付随データの種別を表すヘッダを付与して上記画像信号の記録エリアに記録し、上記記録媒体から画像信号を再生する際に、上記第１の出力形態では、上記記録媒体から画像信号と分離可能に上記撮像部設定データ又は日時データを再生し、再生した上記撮像部設定データ又は日時データを選択的に表示データに変換して出力することを特徴とする。
【００１１】
【発明の実施の形態】
以下、本発明の実施の形態について図面を参照して詳細に説明する。
【００１２】
本発明に係るカメラ設定データの記録再生方法は、例えば、図１に示すような構成のカメラデータ制御システムを備えるカメラ一体型デジタルビデオテープレコーダ（ＶＴＲ）により実施される。
【００１３】
このカメラデータ制御システムは、Ｉ／Ｏ ＳＹＮＣバスを介して接続されたカメラ制御部１、モード制御部２、表示制御部３及び信号処理制御部４、上記カメラ制御部１に接続された手振れ補正制御部５、上記表示制御部３に接続された表示部６、上記信号処理制御部４にＶＳＰ ＳＹＮＣバスを介して接続された機構制御部７、この機構制御部５にＤＲＰ ＳＹＮＣバスを介して接続されたチャンネルコーダ８、このチャンネルコーダ８に接続された記録再生部９などからなる。このカメラデータ制御システムは、上記カメラ制御部１により生成されるカメラ設定データを上記３つのＳＹＮＣバスを介して上記記録再生部９で記録媒体に記録し、また、上記記録再生部９により上記記録媒体に記録されたカメラ設定データを上記記録再生部９より再生して、上記表示制御部３に接続された表示部６に表示するもので、上記モード制御部２によりデータの流れを制御するようになっている。
【００１４】
このカメラデータ制御システムでは、図２に、カメラ設定データの流れを破線で示すように、記録時に、ＡＥモード、シャッタスピード、ホワイトバランス、アイリス／ゲイン、手振れ補正の有無などのカメラ設定データを上記カメラ制御部１及び手振れ補正制御部５から上記モード制御部２に送信する。
【００１５】
上記モード制御部２は、上記カメラ制御部１及び手振れ補正制御部５から送信されたカメラ設定データをこのデジタルＶＴＲのフォーマットに変換して上記信号制御部４に送信する。
【００１６】
上記信号制御部４に送信されたカメラ設定データは、上記機構制御部５及びチャンネルコーダ８介して上記記録再生部９に供給され、上記記録再生部９により記録媒体に記録される。
【００１７】
ここで、記録時には、上記表示制御部３は、自動設定の場合には何も表示せず、各種カメラ設定データのうち手動操作により設定された項目だけを表示するように上記表示部６を制御する。上記手動操作により設定された項目は、例えば、図３に示すように、オンスクリーンディスプレイ上の特定の表示領域ＡＲ１又はＡＲ２に選択的に表示される。
【００１８】
例えば、手動操作によりＡＥモードがアイリス優先に設定された場合には、電子ビューファインダ内のオンスクリーンディスプレイ上の特定の表示領域ＡＲ１にＡＥモードがアイリス優先に設定されたことをアイリス値とともに表示する。
【００１９】
また、手動操作によりホワイトバランスの設定がなされた場合には、電子ビューファインダ内のオンスクリーンディスプレイ上の特定の表示領域ＡＲ２にホワイトバランスの設定がなされことを表示する。
【００２０】
また、手動操作によりシャッタスピードが設定された場合には、電子ビューファインダ内のオンスクリーンディスプレイ上の特定の表示領域ＡＲ１にシャッタスピードを示す数値を表示する。なお、このシャッタスピードを示す数値は、装置本体に設置されている液晶表示部にも表示される。
【００２１】
また、手動操作によりゲイン及びアイリスが設定された場合には、電子ビューファインダ内のオンスクリーンディスプレイ上の特定の表示領域ＡＲ１にゲイン及びアイリスの設定値を表示する。
【００２２】
なお、手振れ補正の設定状態は、装置本体に設置されている液晶表示部に常に表示される。
【００２３】
ここで、このデジタルＶＴＲにおけるテープ上の記録フォーマットの具体例を図４に示す。この図４において、トラックの両端にはマージンが設けられる。そして、その内側には記録始端側から、アフレコを確実に行うためのＩＴＩエリア、音声信号を記録するオーディオエリア、画像信号を記録するビデオエリア、副次的データを記録するためのサブコードエリアが設けられる。なお各エリアの間には、エリア確保のためのインターブロックギャップ（ＩＢＧ）が設けられる。
【００２４】
次に上記の各エリアに記録される信号の詳細を説明する。
【００２５】
ＩＴＩエリアは図４の拡大部分に示されているように、１４００ビットのプリアンブル、１８３０ビットのＳＳＡ（Ｓｔａｒｔ−Ｓｙｎｃ  Ｂｌｏｃｋ  Ａｒｅａ）、９０ビットのＴＩＡ（Ｔｒａｃｋ  Ｉｎｆｏｒｍａｔｉｏｎ  Ａｒｅａ）及び２８０ビットのポストアンブルから構成されている。
【００２６】
ここで、プリアンブルは再生時のＰＬＬのランイン等の機能を持ち、ポストアンブルはマージンを稼ぐための役割を持つ。そして、ＳＳＡ及びＴＩＡは、３０ビットのブロックデータを単位として構成されており、各ブロックデータの先頭１０ビットには所定のＳＹＮＣパターン（ＩＴＩ−ＳＹＮＣ）が記録される。
【００２７】
このＳＹＮＣパターンに続く２０ビットの部分には、ＳＳＡにおいては主にＳＹＮＣブロック番号（０〜６０）が記録され、また、ＴＩＡにおいては主に３ビットのＡＰＴ情報（ＡＰＴ２〜ＡＰＴ０）、記録モードを識別するＳＰ／ＬＰフラグ及びサーボシステムの基準フレームを示すＰＦフラグが記録される。なお、ＡＰＴはトラック上のデータ構造を規定するＩＤデータであり、このデジタルＶＴＲでは値「０００」をとる。なお、ＡＰＴ情報の詳細は後述する。
【００２８】
以上の説明から分かるように、ＩＴＩエリアにはコード長の短いシンクブロックが磁気テープ上の固定された位置に多数記録されているので、再生データから例えばＳＳＡの６１番目のＳＹＮＣパターンが検出された位置をトラック上のアフレコ位置を規定する基準として使用することにより、アフレコ時に書換えられる位置を高精度に規定し、良好なアフレコを行うことができる。
【００２９】
オーディオエリアは、図４の拡大部分に示されるように、その前後にプリアンブルとポストアンブルを有しており、プリアンブルはＰＬＬ引き込み用のランアップ及びオーディオＳＹＮＣブロックの前検出のためのプリＳＹＮＣから構成されている。また、ポストアンブルは、オーディオエリアの終了を確認するためのポストＳＹＮＣと、ビデオデータアフレコ時にオーディオエリアを保護するためのガードエリアとから構成されている。
【００３０】
ここで、プリＳＹＮＣ及びポストＳＹＮＣの各ＳＹＮＣブロックは、図５の（１）及び（２）に示すように構成され、プリＳＹＮＣはＳＹＮＣブロック２個から、ポストＳＹＮＣはＳＹＮＣブロック１個から構成されている。そして、プリＳＹＮＣの６バイト目には、ＳＰ／ＬＰの識別バイトが記録される。これはＦＦｈでＳＰ、００ｈでＬＰを表し、前述のＩＴＩエリアに記録されたＳＰ／ＬＰフラグが読み取り不能のときはこのプリＳＹＮＣのＳＰ／ＬＰの識別バイトの値が採用される。
【００３１】
以上のようなアンブルエリアに挟まれたエリアに記録されるオーディオデータは次のようにして生成される。
【００３２】
まず、記録すべき１トラック分の音声信号は、Ａ／Ｄ変換及びシャフリングを施された後フレーミングが行われ、さらにパリティを付加される。このフレーミングを行ってパリティを付加したフォーマットを図６の（１）に示す。この図６において、７２バイトのオーディオデータの先頭に５バイトの音声付随データ（以下「ＡＡＵＸデータ」という）を付加して１ブロック７７バイトのデータを形成し、これを垂直に９ブロック積み重ねてフレーミングを行い、これに８ビットの水平パリティＣ１とブロック５個分に相当すると垂直パリティＣ２とが付加される。
【００３３】
これらのパリティが付加されたデータは各ブロック単位で読み出されて、各ブロックの先頭側に３バイトのＩＤを付加され、さらに、２バイトのＳＹＮＣ信号を挿入されて、図６の（２）に示されるようなデータ長９０バイトの１ＳＹＮＣブロックの信号へ成形される。そして、この信号がテープに記録される。
【００３４】
ビデオエリアは図４の拡大部分に示されるようにオーディオエリアと同様のプリアンブル及びポストアンブルを持つ。ただし、ガードエリアがより長く形成されている点でオーディオエリアのものと異なっている。これらのアンブルエリアに挟まれたビデオデータは次のようにして生成される。
【００３５】
まず、記録すべきコンポジットビデオ信号をＹ，Ｒ−Ｙ，Ｂ−Ｙのコンポーネントビデオ信号に分離した後、Ａ／Ｄ変換し、このＡ／Ｄ変換出力から１フレーム分の有効走査エリアのデータを抽出する。この１フレーム分の抽出データは、ビデオ信号が５２５／６０システムの場合には、Ｙ信号のＡ／Ｄ変換出力（ＤＹ）については、水平方向７２０サンプル、垂直方向４８０ラインで構成され、また、Ｒ−Ｙ信号のＡ／Ｄ変換出力（ＤＲ）及びＢ−Ｙ信号のＡ／Ｄ変換出力（ＤＢ）については、それぞれ水平方向１８０サンプル、垂直方向４８０ラインで構成される。そしてこれらの抽出データは、図７に示されるように水平方向８サンプル、垂直方向８ラインのブロックに分割される。ただし、色差信号の場合、この図７の（２）の右端部分のブロックは水平方向４サンプルしかないので、上下に隣接する２個のブロックをまとめて１個のブロックとする。以上のブロッキング処理によって１フレームにつきＤＹ、ＤＲ、ＤＢで合計８１００個のブロックが形成される。なお、この水平方向８サンプル、垂直方向８ラインで構成されるブロックをＤＣＴブロックと言う。
【００３６】
次に、これらのブロッキングされたデータを所定のシャフリングパターンにしたがってシャフリングした後、ＤＣＴブロック単位でＤＣＴ変換し、続いて量子化及び可変長符号化を行う。ここで、量子化ステップは３０ＤＣＴブロック毎に設定され、この量子化ステップの値は、３０個のＤＣＴブロックを量子化して可変長符号化した出力データの総量が所定値以下となるように設定される。すなわち、ビデオデータを、ＤＣＴブロック３０個ごとに固定長化する。このＤＣＴブロック３０個分のデータをバッファリングユニットと言う。
【００３７】
以上のようにして固定長化したデータについて、その１トラック分のデータ毎にビデオ付随データ（以下「ＶＡＵＸデータ」と言う）と共にフレーミングを施し、その後、誤り訂正符号を付加する。
【００３８】
このフレーミングを施して誤り訂正符号を付加した状態のフォーマットを図８に示す。
【００３９】
この図８において、ＢＵＦ０〜ＢＵＦ２６はそれぞれが１個のバッファリングユニットを表す。そして、１個のバッファリングユニットは、図９の（１）に示すように垂直方向に５つのブロックに分割された構造を有し、各ブロックは７７バイトのデータ量を持つ。また、各ブロックの先頭側の１バイトには量子化に関するパラメータを格納するエリアＱが設けられる。
【００４０】
この量子化データに続く７６バイトのエリアにビデオデータが格納される。そして、図８に示されているように、これらの垂直方向に２７個配置されたバッファリングユニットの上部には上記のバッファリングユニット内のブロック２個分に相当するＶＡＵＸデータα及びβが配置されると共に、その下部にはブロック１個分に相当するＶＡＵＸデータγが配置され、これらのフレーミングされたデータに対して８バイトの水平パリティＣ１及びブロック１１個分に相当する垂直パリティＣ２が付加される。
【００４１】
このようにパリティが付加された信号は各ブロック単位で読み出されて各ブロックの先頭側に３バイトのＩＤ信号を付加され、さらに、２バイトのＳＹＮＣ信号が挿入される。これにより、ビデオデータのブロックについては図９の（２）に示されるようなデータ量９０バイトの１ＳＹＮＣブロックの信号が形成され、また、ＶＡＵＸデータのブロックについては図９の（３）に示されるような１ＳＹＮＣブロックの信号が形成される。この１ＳＹＮＣブロック毎の信号が順次テープに記録される。
【００４２】
以上に説明したフレーミングフォーマットでは、１トラック分のビデオデータを表わす２７個のバッファリングユニットはＤＣＴブロック８１０個分のデータを有するので、１フレーム分のデータ（ＤＣＴブロック８１００個分）は１０個のトラックに分けて記録されることになる。
【００４３】
サブコードエリアは主に高速サーチ用の情報を記録するために設けられたエリアであり、その拡大図を図１０に示す。この図１０に示されるように、サブコードエリアは１２バイトのデータ長を持つ１２個のＳＹＮＣブロックを含み、その前後にプリアンブル及びポストアンブルが設けられる。ただし、オーディオエリア及びビデオエリアのようにプリＳＹＮＣ及びポストＳＹＮＣは設けられない。そして、１２個の各ＳＹＮＣブロックには、５バイトの付随データ（ＡＵＸデータ）を記録するデータ部が設けられている。また、この５バイトの付随データを保護するパリティとしては２バイトの水平パリティＣ１のみが用いられ、垂直パリティは使用されない。
【００４４】
なお、以上に説明したオーディオエリア、ビデオエリア、サブコードエリアを構成している各ＳＹＮＣブロックは、記録変調において２４／２５変換（記録信号の２４ビット毎のデータを２５ビットへ変換することにより、記録符号にトラッキング制御用パイロット周波数成分を付与するようにした記録変調方式）を施されるため、各エリアの記録データ量は図９に示されているようなビット数になる。
【００４５】
以上の図６、図９及び図１０に示されている各ＳＹＮＣブロックの構成から明らかなように、オーディオエリア、ビデオエリア及びサブコードエリアに記録されるＳＹＮＣブロックは、２バイトのＳＹＮＣ信号の後にＩＤ０、ＩＤ１及びＩＤＰ（ＩＤ０，ＩＤ１を保護するパリティ）からなる３バイトのＩＤ部が設けられる点で共通の構造となっている。そして、このＩＤ部の内のＩＤ０、ＩＤ１は、オーディオエリア及びビデオエリアにおいては図１１に示すようにデータの構造が定められる。
【００４６】
すなわち、ＩＤ１にはオーディオエリアのプリＳＹＮＣからビデオエリアのポストＳＹＮＣまでのトラック内ＳＹＮＣ番号が２進数で格納される。そして、ＩＤ０の下位４ビットには１フレーム内のトラック番号が格納される。
【００４７】
また、ＩＤ０の上位４ビットには、ＡＡＵＸ＋オーディオデータ及びビデオデータの各ＳＹＮＣブロックにおいては、この図１１の（１）に示されるように４ビットのシーケンス番号が格納される。一方、オーディオエリアのプリＳＹＮＣブロック、ポストＳＹＮＣブロック及びパリティＣ２のＳＹＮＣブロックにおいては、オーディオエリアのデータ構造を規定する３ビットのＩＤデータＡＰ１が格納され、また、ビデオエリアのプリＳＹＮＣブロック、ポストＳＹＮＣブロック及びパリティＣ２のＳＹＮＣブロックにおいてはビデオエリアのデータ構造を規定する３ビットのＩＤデータＡＰ２が格納される（この図１１の（２）参照）。なお、これらのＡＰ１及びＡＰ２の値は、このデジタルＶＴＲでは「０００」をとる。
【００４８】
また、上記のシーケンス番号は、「００００」から「１０１１」までの１２通りの番号を各フレーム毎に記録するものであり、このシーケンス番号を見ることにより、変速再生時に得られたデータが同一フレーム内のものかどうかを判断できる。
【００４９】
一方、サブコードエリアにおけるＳＹＮＣブロックのＩＤ部の構造は図１２のように規定されている。
【００５０】
この図１２はサブコードエリアの１トラック分のＳＹＮＣブロック番号０から１１までの各ＩＤ部の構造を示したものであり、ＩＤ０の最上位ビットにはＦＲフラグが設けられる。このフラグはフレームの前半５トラックであるか否かを示し、前半５トラックにおいては「０」、後半５トラックにおいては「１」の値をとる。その次の３ビットには、ＳＹＮＣブロック番号が「０」及び「６」であるＳＹＮＣブロックにおいてはサブコードエリアのデータ構造を規定するＩＤデータＡＰ３が記録されると共に、ＳＹＮＣブロック番号「１１」のＳＹＮＣブロックにおいてはトラック上のデータ構造で規定するＩＤデータＡＰＴが記録され、その外のＳＹＮＣブロックにおいてはＴＡＧコードが記録される。なお、上記ＡＰ３の値は、この実施例のデジタルＶＴＲでは「０００」をとる。
【００５１】
また、上記ＴＡＧコードは、この図１２に拡大して示されているようにサーチ用の３種類のＩＤ信号、すなわち、従来から行われているＩＮＤＥＸサーチのためのＩＮＤＥＸ ＩＤ、コマーシャル等の不要場面をカットするためのＳＫＩＰＩＤ及び静止画サーチのためのＰＰ ＩＤ（Ｐｈｏｔｏ／Ｐｉｃｔｕｒｅ ＩＤ）から構成される。また、ＩＤ０の下位４ビットとＩＤ１の上位４ビットとを使用してトラックの絶対番号（テープの先頭からの通しのトラック番号）が記録される。ただし、この図１２に示されるようにＳＹＮＣブロック３個分の合計２４ビットを用いて１個の絶対トラック番号が記録される。ＩＤ１の下位４ビットにはサブコードエリアのＳＹＮＣブロック番号が記録される。
【００５２】
以上に説明したように、このデジタルＶＴＲでは、付随データを記録するエリアとして、テープ上のオーディオエリアのＡＡＵＸエリア、ビデオエリアのＶＡＵＸエリア及びサブコードエリアのＡＵＸデータ記録エリアが使用される。そして、これらの各エリアは、いずれも５バイトの固定長をもつパックを単位として構成される。
【００５３】
つぎに、これらのパックの構造及び種類について説明する。
【００５４】
パックは図１３に示される５バイトの基本構造を持つ。この５バイトについて最初のバイト（ＰＣ０）がデータの内容を示すアイテム（パックヘッダともいう）とされる。そして、このアイテムに対応して後続する４バイト（ＰＣ１〜４）の書式が定められ、この書式にしたがって任意のデータが設けられる。
【００５５】
このアイテムデータは上下４ビットずつに分割され、上位４ビットは大アイテム、下位４ビットは小アイテムと称される。そして上位４ビットの大アイテムは例えば後続データの用途を示す情報とされ、この大アイテムによってパックは図１４に示されるように、コントロール「００００」、タイトル「０００１」、チャプター「００１０」、パート「００１１」、プログラム「０１００」、ＡＡＵＸ「０１０１」、ＶＡＵＸ「０１１０」、カメラ「０１１１」、ライン「１０００」、ソフトモード「１１１１」の１０種類のグループに展開されている。
【００５６】
このように大アイテムによって展開されたパックの各グループは、それぞれがさらに小アイテム（これによって例えば後続データの具体的な内容が表される）によって１６個のパックに展開され、結局、これらのアイテムを用いて最大２５６種類のパックを定義することができる。
【００５７】
なお、図１４における大アイテム「１００１」〜「１１１０」は追加用に残された未定義の部分を表している。したがって、未だ定義されていないアイテムデータのコードを使用して新たなアイテムデータ（パックヘッダ）を定義することにより、将来任意に新しいデータの記録を行うことができる。またへッダを読むことによりパックに格納されているデータの内容を把握できるので、パックを記録するテープ上の位置も任意に設定できる。
【００５８】
次に、パックの具体例を図１５及び図１６を用いて説明する。
【００５９】
図１５の（１）に示されるパックは、そのアイテムの値からわかるように図１４におけるＡＡＵＸのグループに所属するものであってＡＡＵＸ  ＳＯＵＲＣＥパックと呼ばれ、音声に関する付随データの記録に使用される。すなわち、図１５に示されるように、オーディオサンプル周波数が映像信号とロックしているか否かを示すフラグ（ＬＦ）、１フレーム当たりのオーディオサンプル数（ＡＦ  ＳＩＺＥ）、オーディオチャンネル数（ＣＨ）、各オーディオチャンネルのステレオ／モノラル等のモードの情報（ＰＡ及びＡＵＤＩＯ  ＭＯＤＥ）、テレビジョン方式に関する情報（５０／６０及びＳＴＹＰＥ）、エンファシスの有無（ＥＦ）、エンファシスの時定数（ＴＣ）、サンプル周波数（ＳＭＰ）、量子化情報（ＱＵ）が記録される。
【００６０】
また、図１５の（２）示されるＡＡＵＸ  ＳＯＵＲＣＥ  ＣＯＮＴＲＯＬパックには、ＳＣＭＳデータ（上位ビットが著作権の有無を表し、下位ビットがオリジナルテープか否かを表す）、コピーソースデータ（アナログ信号源か否か等を表す）、コピー世代データ、サイファ（暗号）タイプデータ（ＣＰ）、サイファデータ（ＣＩ）、記録開始フレームか否かを示すフラグ（ＲＥＣ  ＳＴ）、記録最終フレームか否かを示すフラグ（ＲＥＣ  ＥＮＤ）、オリジナル記録／アフレコ記録／インサート記録等の記録モードデータ（ＲＥＣ  ＭＯＤＥ）、方向を示すフラグ（ＤＲＦ）、再生スピードデータ及び記録内容のジャンルカテゴリーが記録される。
【００６１】
さらに、図１５の（３）に示されるＡＡＵＸ  ＲＥＣ  ＤＡＴＥパックには、サマータイムか否かを示すフラグ「ＤＳ」、３０分の時差の有無を示すフラグ「ＴＭ」、時差を表すデータ「ＴＩＭＥ  ＺＯＮＥ」及び日、曜日、月、年のデータが記録される。
【００６２】
そして、図１５の（４）に示されるＡＡＵＸ  ＲＥＣ  ＴＩＭＥパックには、ＳＭＰＴＥタイムコード表示で＊＊時＊＊分＊＊秒＊＊フレームの記録時間のデータが記録される。
【００６３】
また、図１５の（５）に示されるＡＡＵＸ  ＲＥＣ  ＴＩＭＥ  ＢＩＮＡＲＹＧＲＯＵＰＥパックには、ＳＭＰＴＥタイムコードのバイナリ・グループ・データが記録される。
【００６４】
そして、図１６の（１）に示されるＡＡＵＸ  ＣＬＯＳＥＤ  ＣＡＰＴＩＯＮパックには、テレビジョン信号の垂直ブランキング期間に伝送されるＣＬＯＳＥＤ  ＣＡＰＴＩＯＮ信号のフォーマットを用いたＥＤＳ（Ｅｘｔｅｎｄｅｄ  Ｄａｔａ  Ｓｅｒｖｉｃｅ）データの内、主音声、第２音声の言語・種類に関するデータが格納される。これらのデータ内容は次のとおりである。
【００６５】
ＭＡＩＮ及び２ＮＤ  ＡＵＤＩＯ  ＬＡＮＧＵＡＧＥ：
０００＝Ｕｎｋｎｏｗｎ
００１＝Ｅｎｇｌｉｓｈ
０１０＝Ｓｐａｎｉｓｈ
０１１＝Ｆｒｅｎｃｈ
１００＝Ｇｅｒｍａｎ
１０１＝Ｉｔａｌｉａｎ
１１０＝Ｏｔｈｅｒｓ
１１１＝Ｎｏｎｅ
ＭＡＩＮ  ＡＵＤＩＯ  ＴＹＰＥ：
０００＝Ｕｎｋｎｏｗｎ
００１＝Ｍｏｎｏ
０１０＝Ｓｉｍｕｌａｔｅｄ  Ｓｔｅｒｅｏ
０１１＝Ｔｒｕｅ  Ｓｔｅｒｅｏ
１００＝Ｓｔｅｒｅｏ
１０１＝Ｄａｔａ  Ｓｅｒｖｉｃｅ
１１０＝Ｏｔｈｅｒｓ
１１１＝Ｎｏｎｅ
２ＮＤ  ＡＵＤＩＯ  ＴＹＰＥ：
０００＝Ｕｎｋｎｏｗｎ
００１＝Ｍｏｎｏ
０１０＝Ｄｅｓｃｒｉｐｔｉｖｅ  Ｖｉｄｅｏ  Ｓｅｒｖｉｃｅ
０１１＝Ｎｏｎ−ｐｒｏｇｒａｍ  Ａｕｄｉｏ
１００＝Ｓｐｅｃｉａｌ  Ｅｆｆｅｃｔｓ
１０１＝Ｄａｔａ  Ｓｅｒｖｉｃｅ
１１０＝Ｏｔｈｅｒｓ
１１１＝Ｎｏｎｅ
ここで、ＡＡＵＸメインエリアにＣＬＯＳＥＤ  ＣＡＰＴＩＯＮパックが記録されている場合には、主音声・第２音声の種類はそのパック内の情報に従う。また、ＡＡＵＸメインエリアにＣＬＯＳＥＤ  ＣＡＰＴＩＯＮパックが記録されておらず、その代わりに情報無しパックが記録されている場合には、主音声・第２音声の種類はＡＡＵＸ  ＳＯＵＲＣＥパック内のＡＵＤＩＯＭＯＤＥの情報に従う。なお、ＡＡＵＸ  ＣＬＯＳＥＤ  ＣＡＰＴＩＯＮパックについての詳細は後述する。
【００６６】
また、図１６の（２）〜（５）及び図１７（１），（２）に示される各パックは、そのアイテムデータの値から分かるように図１４におけるＶＡＵＸのグループに所属するものであり、画像に関する付随データの記録に使用される。
【００６７】
これらのパックの記録内容について説明すると、図１６の（２）に示されるＶＡＵＸ  ＳＯＵＲＣＥパックには、記録信号源のチャンネル番号、記録信号が白黒信号であるか否かを示すフラグ（Ｂ／Ｗ）、カラーフレーミングを表すコード（ＣＦＬ）、ＣＦＬが有効であるか否かを示すフラグ（ＥＮ）、記録信号源がカメラ／ライン／ケーブル／チューナ／ソフトテープ等のいずれであるかを示すコード（ＳＯＵＲＣＥ  ＣＯＤＥ）、テレビジョン信号の方式に関するデータ（５０／６０及びＳＴＹＰＥ）、ＵＶ放送／衛星放送等の識別に関するデータ（ＴＵＮＥＲ  ＣＡＴＥＧＯＲＹ）が記録される。
【００６８】
図１６の（３）に示されるＶＡＵＸ  ＳＯＵＲＣＥ  ＣＯＮＴＲＯＬパックには、ＳＣＭＳデータ（上位ビットが著作権の有無を表し、下位ビットがオリジナルテープか否かを表す）、コピーソースデータ（アナログ信号源か否か等を表す）、コピー世代データ、サイファ（暗号）タイプデータ（ＣＰ）、サイファデータ（ＣＩ）、記録開始フレームか否かを示すフラグ（ＲＥＣ  ＳＴ）、オリジナル記録／アフレコ記録／インサート記録等の記録モードデータ（ＲＥＣ−ＭＯＤＥ）が記録されると共に、さらに、アスペクト比等に関するデータ（ＢＣＳＹＳ及びＤＩＳＰ）、奇偶フィールドのうちの一方のフィールドの信号のみを２回反復して出力するか否かに関するフラグ（ＦＦ）、フィールド１の期間にフィールド１の信号を出力するかフィールド２の信号を出力するかに関するフラグ（ＦＳ）、フレームの画像データが前のフレームの画像データと異なっているか否かに関するフラグ（ＦＣ）、インターレースであるか否かに関するフラグ（ＩＬ）、記録画像が静止画であるか否かに関するフラグ（ＳＴ）、記録画像がスチルカメラモードで記録されたものであるか否かを示すフラグ（ＳＣ）及び記録内容のジャンルが記録される。
【００６９】
また、図１６の（４）に示されるＶＡＵＸ  ＲＥＣ  ＤＡＴＥパックには記録日に関するデータが記録され、図１６の（５）に示されるＶＡＵＸ  ＲＥＣ  ＴＩＭＥパックには記録時間に関するデータが記録され、図１７の（１）に示されるＶＡＵＸ  ＲＥＣ  ＴＩＭＥ  ＢＩＮＡＲＹ  ＧＲＯＵＰのパックにはタイムコードのバイナリ群のデータが記録される。
【００７０】
さらに、図１７の（２）に示されるＶＡＵＸ  ＣＬＯＳＥＤ  ＣＡＰＴＩＯＮパックにはテレビジョン信号の垂直ブランキング期間に伝送されるＣＬＯＳＥＤ
ＣＡＰＴＩＯＮ信号が記録される。このパックについての詳細は後述する。
【００７１】
なお、パックの特殊例として、アイテムコードがオール１のパックは、無情報のパック（Ｎｏ  Ｉｎｆｏｒｍａｔｉｏｎ  パック：以下「ＮＯ  ＩＮＦＯパック」という）として定義されている。
【００７２】
次に、パックを用いて多種多様な付随データが記録されるＡＡＵＸエリア、ＶＡＵＸエリア、サブコードエリアのデータエリアの具体的構造について説明する。
【００７３】
ＡＡＵＸエリアでは、図６の（２）に示される１ＳＹＮＣブロックのフォーマットにおいて、５バイトのＡＡＵＸエリアで１個のパックが構成される。したがって、ＡＡＵＸエリアは１トラックにつき９個のパックで構成される。５２５／６０システムのデジタルＶＴＲでは１フレームのデータを１０トラックで記録するので、１フレーム分のＡＡＵＸエリアは図１８のように表される。
【００７４】
この図１８において１つの区画が１個のパックを表す。そして、区画に記入されている番号５０〜５５は、その区画のパックのアイテムコードを１６進数表示したものであり（この図１８における番号５０は、前述のＡＡＵＸ ＳＯＵＲＣＥパックを表している。）、これらの６種類のパックをメインパックと呼び、これらのメインパックが記録されるエリアをＡＡＵＸメインエリアと言う。また、これ以外のエリアはＡＡＵＸオプショナルエリアと言い、多種多様なパックの中から任意のパックを選んで記録することができる。
【００７５】
ＶＡＵＸエリアについては、１トラックにおけるＶＡＵＸエリアが図８に示されるように３個のＳＹＮＣブロックα、β、γから構成され、そのパック個数は、図１９に示されるように１ＳＹＮＣブロックにつき１５個、１トラックで４５個となる。なお、１ＳＹＮＣブロックにおけるエラーコードＣ１の直前の２バイトのエリアは、予備的な記録エリアとして使用する。
【００７６】
１フレーム分のＶＡＵＸエリアについて、そのパック構成を示すと図２０のようになる。この図２０において１６進数表示のアイテムコード６０〜６５が付されているパックはＶＡＵＸメインエリアを構成するＶＡＵＸメインパックであり、図１６の（２）〜（５）及び図１７の（１），（２）に示したパックがこれに相当している。その外のパックはＶＡＵＸオプショナルエリアを構成する。
【００７７】
サブコードエリアのデータエリアは、図１０に示されるように、ＳＹＮＣブロック番号０〜１１の各ＳＹＮＣブロックの中に５バイトづつ書き込まれ、それぞれが１パックを構成している。すなわち、１トラックで１２個のパックが記録され、そのうちＳＹＮＣブロック番号３〜５及び９〜１１のパックがメインエリアを構成し、その外のパックはオプショナルエリアを構成する。
【００７８】
このサブコードエリアにおいては、１フレーム分のデータが図２１に示すようなフォーマットで反復記録される。この図２１において大文字のアルファベットはメインエリアのパックを表し、タイムコード、記録年月日等の高速サーチに必要なデータが記録される。小文字のアルファベットはオプショナルエリアのパックを表し、このエリアには任意のパックを選択して任意のデータを記録することができる。
【００７９】
なお、図２１は５２５／６０システムの場合の記録パターンであるが、参考までに６２５／５０システムの場合の１フレーム分のサブコードデータの記録パターンを図２２に示す。この図２２に示されるように、６２５／５０システムの場合は１フレームが１２トラックで構成され１トラックにおけるサブコードは５２５／６０システムの場合と同様に１２個のＳＹＮＣブロックで構成され、トラック数のみが異なったものとなる。
【００８０】
さらに、上記大アイテム「０１１１」のカメラグループの小アイテムによって、ＣＯＮＳＵＭＥＲ  ＣＡＭＥＲＡ１、ＣＯＮＳＵＭＥＲ  ＣＡＭＥＲＡ２、ＬＥＮＳ、ＧＡＩＮ、ＰＥＤＥＳＴＡＬ、ＧＡＭＭＡ、ＤＥＴＡＩＬ、ＣＡＭＥＲＡＰＲＩＳＥＴ、ＦＬＡＲＥ、ＳＨＡＤＩＮＧ、ＫＮＥＥ、ＳＨＵＴＴＥＲなどの撮像系の設定情報を与えるパックが定義されている。
【００８１】
そして、例えば、上記ＣＯＮＳＵＭＥＲ  ＣＡＭＥＲＡ１のパックには、図２３に示すように、絞り情報（ＩＲＩＳ）、ＡＥモード情報（ＡＥ  ＭＯＤＥ）、自動利得制御情報（ＡＧＣ）、ホワイトバランスモード情報（ＷＢ  ＭＯＤＥ）、ホワイトバランス情報（ＷＨＩＴＥ  ＢＡＬＡＮＣＥ）、合焦モード情報（ＦＣＭ）、焦点位置情報（ＦＯＣＵＳ）が記録される。
【００８２】
上記絞り情報（ＩＲＩＳ）は、次にように定義される。
【００８３】
０〜３Ｃｈ＝ＩＰ
３Ｄｈ＝Ｆ１．０以下
３Ｅｈ＝クローズ
３Ｆｈ＝情報なし
ここで、アイリスポジション＝２IP/8
また、上記ＡＥモード情報（ＡＥ  ＭＯＤＥ）は、次にように定義される。
【００８４】
０＝全自動
１＝利得優先モード
２＝シャッタ優先モード
３＝絞り優先モード
４＝マニュアル
Ｆｈ＝情報なし
他＝リザーブ
また、上記自動利得制御情報（ＡＧＣ）は、次にように定義される。
【００８５】
０〜Ｄｈ＝Ｇ
Ｆｈ＝情報なし
ここで、Ｇの値＝−３＋Ｇ×３ｄＢ
また、ホワイトバランスモード情報（ＷＢ  ＭＯＤＥ）は、次にように定義される。
【００８６】
０＝自動
１＝ホールド
２＝ワンプッシュ
３＝プリセット
７＝情報なし
他＝リザーブ
また、上記ホワイトバランス情報（ＷＨＩＴＥ  ＢＡＬＡＮＣＥ）は、次にように定義される。
【００８７】
０＝キャンドル
１＝白熱電球
２＝低色温度蛍光灯
３＝高色温度蛍光灯
４＝太陽光
５＝曇り
Ｆｈ＝情報なし
他＝リザーブ
また、合焦モード情報（ＦＣＭ）は、次にように定義される。
【００８８】
０＝自動合焦
１＝手動合焦
さらに、焦点位置情報（ＦＯＣＵＳ）は、次にように定義される。
【００８９】
０〜７Ｅｈ＝焦点位置
７Ｆｈ＝情報なし
ここで、焦点位置＝Ｍ×１０L cm
Ｍ：ＦＯＣＵＳの上位５ビット
Ｌ：ＦＯＣＵＳの下位２ビット
また、上記ＣＯＮＳＵＭＥＲ  ＣＡＭＥＲＡ２のパックには、図２４に示すように、垂直方向のパンニング情報（ＶＰＤ）、垂直方向のパンニングスピード情報（Ｖ  ＰＡＮＮＩＮＧ  ＳＰＥＥＤ）、水平方向のパンニング情報（ＨＰＤ）、水平方向のパンニングスピード情報（Ｈ  ＰＡＮＮＩＮＧ  ＳＰＥＥＤ）、手振れ補正情報（ＩＳ）、焦点距離情報（ＦＯＣＡＬ  ＬＥＮＧＴＨ）などが記録される。
【００９０】
上記垂直方向のパンニング情報（ＶＰＤ）は、次にように定義される。
【００９１】
０＝垂直走査方向と同方向
１＝垂直走査方向と逆方向
また、垂直方向のパンニングスピード情報（Ｖ  ＰＡＮＮＩＮＧ  ＳＰＥＥＤ）は、次にように定義される。
【００９２】
０〜１Ｄｈ＝パンニングスピード
１Ｅｈ＝フィールド当たり２９ライン以上
１Ｆｈ＝情報なし
また、水平方向のパンニング情報（ＨＰＤ）は、次にように定義される。
【００９３】
０＝水平走査方向と同方向
１＝水平走査方向と逆方向
また、水平方向のパンニングスピード情報（Ｈ  ＰＡＮＮＩＮＧ  ＳＰＥＥＤ）は、次にように定義される。
【００９４】
０〜１Ｄｈ＝ＰＳ
３Ｅｈ＝フィールド当たり１２２ピクセル以上
３Ｆｈ＝情報なし
ここで  パンニングスピード＝２×ＰＳ
１ピクセル期間＝１／（１３．５×１０6 ）秒
また、手振れ補正情報（ＩＳ）は、次にように定義される。
【００９５】
０＝オン
１＝オフ
さらに、焦点距離情報（ＦＯＣＡＬ  ＬＥＮＧＴＨ）は、次にように定義される。
【００９６】
０〜ＦＥｈ＝焦点距離
３Ｄｈ＝Ｆ１．０以下
ＦＦｈ＝情報なし
ここで、焦点距離＝Ｍ×１０L cm
Ｍ：ＦＯＣＡＬ  ＬＥＮＧＴＨの上位７ビット
Ｌ：ＦＯＣＡＬ  ＬＥＮＧＴＨの最下位ビット
なお、以上に説明した各エリアにおけるメインエリアには、あらゆるテープについて共通的な基本のデータ項目に関する付随的情報が格納されたパックが記録されるという特徴がある。一方、オプショナルエリアには、ソフトテープメーカあるいはユーザー等が自由に任意の付随データを書き込むことができる。そのような付随的情報としては、例えば、種々の文字情報、文字放送信号データ、垂直ブランキング期間内或るいは有効走査期間内の任意のラインのテレビジョン信号データ、コンピューターグラフィックスのデータ等がある。
【００９７】
次に、垂直ブランキング期間のデータの記録再生について詳述する。
【００９８】
図２５は現在のテレビジョン信号のチューナ出力を分析したものである。
【００９９】
チューナからはコンポジットビデオ信号、オーディオ信号及びステレオ、２か国語放送等を識別するためのオーディオパイロット信号が出力される。
【０１００】
この内、コンポジットビデオ信号は、画像データ、２次元／１次元変換用データ（Ｈ．ＳＹＮＣ，Ｈ．ＢＬＫ，Ｖ．ＳＹＮＣ，Ｖ．ＢＬＫ）及びシステムデータからなる。システムデータとしては、ＣＬＯＳＥＤ  ＣＡＰＴＩＯＮ（以下「ＣＣ」と略す）、ＥＤＳ、ＷＳＳ、ＶＢＩＤ等がある。
【０１０１】
この中で重要なのはコンポジットビデオ信号のシステムデータである。これには、画像に関する情報（画像付随情報）だけでなく音声に関する情報（音声付随情報）まで格納されているもので、その内容は画像や音声と共に記録されるべきである。アナログＶＴＲにおいては、１フィールドが１トラックになり、垂直ブランキング期間はそのまま記録再生される。しかし、デジタルＶＴＲでは、システムデータが格納されている２次元／１次元変換用データを除去してしまっているので、システムデータをそのままの形で保存することはできない。入力された信号がそのまま記録され、再生時には入力された信号そのものが出力されることを「トランスペアレント記録」と呼ぶが、デジタルＶＴＲでは何らかの補完的記録手段を採用しなければトランスペアレント記録ができない。
【０１０２】
図２６に主なシステムデータを示す。一般に、アナログＶＴＲで記録再生可能な周波数は１ＭＨｚ以下とされている。したがって、図２６の中でＣＣ、ＥＤＳ、ＶＢＩＤ及びＷＳＳが記録再生可能であり、それ以外は波形がなまってしまう。この意味では、アナログＶＴＲもトランスペアレント記録ができない。文字多重放送やＴＥＬＥＴＥＸＴは記録再生できないが、これらはもともと記録再生を前提とした信号ではなく、デコーダが解読してテレビ面面に文字データを表示することを目的としており、コンポジットビデオ信号の画像とは全く別の文字放送番組（株価等）を送っている（ただし、一部字幕放送もある）。また、局間制御信号や業務用信号などは、放送局間の調整用であり、特殊用途の信号なので、アナログＶＴＲで記録できなければならないものではない。さらに、マクロビジョン信号はコピーガードのための信号なので、記録できない。
【０１０３】
ここで、図２７を参照しながらＶＡＵＸ及びＡＡＵＸのメインエリアについて補足説明する。前記したように、ＶＡＵＸのメインエリアにはパックヘッダが６０ｈから６５ｈまでのパックデータが格納される。また、ＡＡＵＸのメインエリアにはパックヘッダが５０ｈから５５ｈまでのパックデータが格納される。
【０１０４】
ここで、パックヘッダが６０ｈ，６１ｈ，５０ｈ，５１ｈの各パックはそれぞれＳＯＵＲＣＥパック、ＳＯＵＲＣＥ  ＣＯＮＴＲＯＬパックと呼ばれ、面像データや音声データを復元するために必要不可欠なデータ、コピーガードのような法律に関するデータが格納されるパックである。したがって、これらの４パックさえ参照すれば、映像信号及び音声信号の再生は可能である。
【０１０５】
一方、パックヘッダが６２ｈ，６３ｈ，６４ｈ及び５２ｈ，５３ｈ，５４ｈはＲＥＣ  ＤＡＴＥパック、ＲＥＣ  ＴＩＭＥパック、ＢＩＮＡＲＹ  ＧＲＯＵＰＥパックと呼ばれ、記録年月日、記録時刻等、なくてもかまわないデータである。例えば、内部に時計を持っていないＶＴＲで録画した場合には、記録年月日や記録時刻は当然わからないので、ＮＯ  ＩＮＦＯパック（ＦＦｈ）が記録される。
【０１０６】
このデジタルＶＴＲでは、パックヘッダが６５ｈ，５５ｈのＣＣパック及び５６ｈ，６６ｈのトランスペアレントパックを用いて前記ＣＣ、ＥＤＳ、ＶＢＩＤ、ＷＳＳ等をトランスペアレント記録する。
【０１０７】
まず、ＶＡＵＸ  ＣＣパックは図２８に示すＣＣ信号の内、クロックランーイン（６．５サイクル）とそれに続くスタートビット（２サイクル「Ｌ」、１サイクル「Ｈ」）を除いた１６ビットのデータ部を、図１７の（２）に示すフォーマツトでそのまま格納する。
【０１０８】
ＣＣ信号はビデオ信号の第１フィールド及び第２フィールドに挿入されている。ただし、第２フィールドにはＥＤＳデータが入ることもある。つまり、ＶＡＵＣＣパック１つでＣＣ信号及びＥＤＳデータ両者の素データを格納できる。
【０１０９】
ＣＣ信号は北米において、聾唖者対策として既に法制化されており、北米で販売される１４インチ以上のテレビ受信機には全てこのデコーダを搭載することが義務付けられている。したがって、ＣＣ信号はＶＡＵＸのメインエリアに格納して、全てのデジタルＶＴＲが対応するようにすることが必要である。ＶＡＵＸ  ＣＣパックのパックヘッダとしては、既述したように６５ｈを与えた。格納場所は図２０に示した通りである。北米以外では、この信号そのものが存在しないので、ここにはＮＯ  ＩＮＦＯパック（ＦＦｈ）を格納する。このパックヘッダ６５ｈは第１フィールドと第２フィールドのライン２１そのものを意昧しているので、パック内部にＬＩＮＥパックに必要なラインＩＤを必要としない。再生時には、このパックのデータをビデオ信号のライン２１に挿入してもとのＣＣ信号を復元する。これにより、再生ビデオ信号を入力したテレビ受信機は、内部のデコーダによりデコードし、字幕サービス等を実施できる。
【０１１０】
次に、図２９を参照しながらＣＣパックの書込みルールについて説明する。なお、以下の説明では、特に区別した場合を除いて、ＣＣ信号はＥＤＳデータを含むものとする。
【０１１１】
ＣＣ信号には映像信号及び音声信号を再生する上で必要不可欠なデータとそうでないデータがあるが、ＶＡＵＸ  ＣＣパックはこれらをそのまま格納する。そして、前者を記録時に必ずパックヘッダが６０ｈ，６１ｈ，５０ｈ，５１ｈのパック、すなわちＶＡＵＸ及びＡＵＸのＳＯＵＲＣＥパック及びＳＯＵＲＣＥ  ＣＯＮＴＲＯＬパックに反映させる。また、ＡＡＵＸ  ＣＣパックはＣＣ信号の内、音声に関する情報をデコードしたものを格納する。
【０１１２】
ＣＣパックに記録するためには、まず、このＣＣ信号がビデオ信号中に存在するかどうかを識別する。これは、ライン２１を検出し、その水平同期信号の立ち下がりから１０．５μｓｅｃ以上経過した後、３２ｆＨ周期のクロックランインがあるかどうかを調べる。あればＣＣ信号が存在する。そして、１６ビットのデータを抜き出す。
【０１１３】
このデータは７ビットのＡＳＣＩＩコード２組（Ｃｈａｒａｃｔｅｒ  Ｏｎｅ及びＣｈａｒａｃｔｅｒ  Ｔｗｏのｂ０〜ｂ６）でそのＭＳＢはパリティ（Ｐ１，Ｐ２）である。ＣＣ信号のデコード時にはこのパリティをチェックするが、このＶＴＲで記録するときには特に何もせずそのまま２バイトデータとして図１７の（２）のように格納する。実際のデコードはテレビ受信機が行うからである。
【０１１４】
さて、ここで北米で録画したテープを日本に持ってきて再生するときのことを検討してみる。日本向けのＶＴＲは当然ＣＣ信号対応になっていない。ところが、図２６のようにＣＣ信号にはアスペクト比の情報が入っている。これにより、北米で販売されているワイドテレビ受信機はアスペトク比の自動切換えを行う。一方、日本のワイドテレビ受信機はＶＢＩＤによりアスペクト比の自動切換えを行うので、アスペクト比の情報は欠かせない。ところが、この情報がＣＣパックにのみ格納されていると、日本向けのＶＴＲはそれを理解できないので、アスペクト比の自動切換えができない。
【０１１５】
そこで、このデジタルＶＴＲでは、図２９のように、ＶＡＵＸ  ＣＣパックにデータを格納する時には、そのデータの内、映像信号及び音声信号を再生する上で必要不可欠なデータを抜き出して、パックヘッダが６０ｈ，６１ｈ，５０ｈ，５１ｈのパックに反映させることを義務づけている。
【０１１６】
こうすることにより、例えばアスペクト比であれば必ずパックヘッダが６１ｈのパックに反映されるので、ＶＡＵＸ  ＣＣパックを理解できないＶＴＲであっても、パックヘッダが６１ｈのパックに格納されているアスペクト比の情報からＶＢＩＤデータを復元することができる。したがって、日本のワイドテレビ受信機はこのＶＢＩＤにより、アスペクト比を自動的に切り換えることかできる。
【０１１７】
これにより、画像や音声が再生されなかったり、不自然な画像や音声が再生されるような事態を防止できる。
【０１１８】
ここでＶＡＵＸ  ＣＣパックについて整理すると、ＣＣ信号には映像信号及び音声信号を再生する上で必要不可欠なデータとそうでないデータがあるが、ＶＡＵＸ  ＣＣパックはこれらをそのまま格納する。そして、前者を記録時に必ずパックヘッダが６０ｈ，６１ｈ，５０ｈ，５１ｈのパックに反映させる。再生時に、このＶＡＵＸ  ＣＣパックをデコードできるセットは、その全てのデータをセット内で利用することが可能である。また、ＶＡＵＸ  ＣＣパックのデコードはできないが、それがＶＡＵＸ  ＣＣパックであると認識できるセットは、ビデオ信号の第２１ラインにそれを復元することができる。さらに、ＶＡＵＸ  ＣＣパックのデコードも認識もできないセットは、それを無視してパックヘッダが６０ｈ，６１ｈ，５０ｈ，５１ｈのパックデータからそのセットが必要とする垂直ブランキング情報を復元すればよい。これにより、全てのタイプのＶＴＲセット間で互換性がとれることになる。
【０１１９】
次に、垂直ブランキング期間に挿入されている音声に関する情報について説明する。
【０１２０】
図２６に示したように、音声に関する情報はＡＡＵＸデータとしてオーディオエリアに格納すべきである。そこで、このデジタルＶＴＲでは、ＡＡＵＸ  ＣＣパックを定義し、垂直ブランキング期間内の音声に関する情報を格納するようにした。パックヘッダとしては、既述したように５５ｈを与えた。また、パックの構成は図１６の（１）に示した通りであり、格納場所は図１８に示した通りである。このＡＡＵＸ  ＣＣパックには音声信号を再生する上で必要不可欠な情報とそうでない情報が格納されるが、前述のように、音声信号を再生する上で必要不可欠な情報は５０ｈ，５１ｈに反映させる。
【０１２１】
再生時に、このＡＡＵＸ  ＣＣパックを理解できるセットは、音声に関する情報を全て利用することが可能となる。そして、理解できないセットは、パックヘッダが５０ｈ，５１ｈのパックだけを理解していれば問題は起きない。
【０１２２】
なお、音声に関する情報はＶＡＵＸ  ＣＣパックにもそのまま格納されるので冗長性があるが、音声に関する情報はオーディオエリアから再生するのが信号処理上好ましい。また、ビデオエリアのみをアフレコした結果、ＶＡＵＸ  ＣＣパックに格納されていた音声に関する情報が失われてもＡＡＵＸ  ＣＣパックには音声に関する情報が残るので音声の再生が可能である。
【０１２３】
ここで、ＣＣ信号のＥＤＳデータ中の音声に関する情報を記録・再生する場合について具体的に説明する。図１６の（１）のＡＡＵＸ  ＣＣパックに関して説明したように、ＥＤＳデータには、音声に関する情報として主音声及び第２音声の言語・種類に関する情報を持っている。本実施例では、この情報をデコードして、図１６の（１）に示したフォーマットで記録する。このとき、ＡＡＵＸ  ＳＯＵＲＣＥパックのＡＵＤＩＯ  ＭＯＤＥにこの情報を反映させる。ＡＡＵＸ  ＣＣパックの格納データとＡＡＵＸ  ＳＯＵＲＣＥパックのＡＵＤＩＯ  ＭＯＤＥとの対応関係の１例を図３０に示す。
【０１２４】
次に、ＶＢＩＤ、ＷＳＳ、さらには将来新たに登場する可能性のある垂直ブランキングデータに対して対処する手段について説明する。
【０１２５】
ここでは、これらのデータをそのまま格納するために、ＶＡＵＸ  トランスペアレントパックを定義した。パックヘッダは６６ｈである。また、音声に関する情報を格納するために、ＡＡＵＸ  トランスペアレントパックを定義した。パックヘッダは５６ｈである（以下トランスペアレントパックを「ＴＲパック」という）。
【０１２６】
図３１にこれらのＴＲパックの仕組みを示す。記録位置はＣＣパックと同じ位置である。６０ｈ，６１ｈ，５０ｈ，５１ｈに対するルールもＣＣパックと同じである。
【０１２７】
また、ＴＲパック対応ＶＴＲ、非対応ＶＴＲの観点からそのセット間の互換性を記録と再生でまとめたのが図３２である。このように、ＴＲパック非対応ＶＴＲでも、北米のような法律で定められた地域では、ＣＣパックは最優先で対応する。
【０１２８】
図３３にＶＡＵＸ  ＴＲパックを示す。このように、データタイプ４ビットで各種信号を区別する。ここで、Ｘは将未登場する可能性のある信号名である。これは、第１フィールドと第２フィールドの内容が異なるものの例である。データ部は最大２８ビット分用意する。これは、図２６のような１ＭＨｚ以下のクロックでは、この程度の数になるからである。そして、水平同期信号に近いほうをＬＳＢとして順にデータを詰め込んでいく。図３４はＶＢＩＤの２０ビットを詰め込んだ例を（１）に示し、ＷＳＳの１４ビットを詰め込んだ例を（２）に示している。
【０１２９】
次に、図３５にＡＡＵＸ  ＴＲパックを示す。構成は図３３のＶＡＵＸ  ＴＲパックと同じである。ここで注目すべき点はデータタイプの００００〜００１０を欠番にしていることである。図３３に例示したＶＢＩＤ、ＷＳＳ、ＥＤＴＶ２は、いずれも音声に関する情報を含んでいないことがアナウンスされている。したがって、このパックは不要であるので、ＶＡＵＸ  ＴＲパックにはデータを格納するが、ＡＡＵＸはＮＯ  ＩＮＦＯパックになる。このとき、ＶＡＵＸ  ＴＲパックとＡＡＵＸ  ＴＲパックとで、データタイプのアサインが異なると対応が不便なので、不要なものはあえて欠番にした。
【０１３０】
次に、このＴＲパックとＣＣパックとをトラック上に配列する方法について説明する。図１８及び図２０で、１フレーム１０トラックを２トラックずつのペアとする。そして、このトラックペアの２箇所のメインエリアは必ず同じ内容とする。こうすると、１フレームあたり５種類のＴＲパック又はＣＣパックが記録できるので、１０トラックに同じパックを記録する場合よりも、記録するパック数を多くすることができる。この中には何をどう書こうがかまわないが、最終のトフツクペアには必ずＣＣパックを書込むことにする。こうすれば、ＴＲパックは不要でＣＣパックのみを１０トラックに書込むセットに、ＴＲパックとＣＣパックを混在記録したテープが入ってきても、ＣＣパックだけは必ず拾える。
【０１３１】
図３６はＣＣ、ＶＢＩＤ及びＷＳＳに対応するＶＴＲで記録を行ったテープのフォーマットである。このとき、アスペクト比等、映像信号を再生する上で必要不可欠なデータは、パックヘッダが６０ｈ、６１ｈのパックに反映させる。そして、このように記録されたテープをＣＣ、ＶＢＩＤ対応ＶＴＲで再生する場合、ＣＣ及びＶＢＩＤデータのみを読み出して、ビデオ信号の垂直ブランキング期間の所定の位置に重畳することができる。また、ＷＳＳデータについては、必要があれば、６０ｈ、６１ｈのパックデータから復元して、ビデオ信号の垂直ブランキング期間の所定の位置に重畳することができる。なお、ＡＡＵＸ  ＴＲパックについては同様なので、その説明は省略する。
【０１３２】
このような記録フォーマットを採用したデジタルＶＴＲにおけるカメラデータ制御システムでは、図示しない撮像部により撮像された画像信号を記録再生部９で記録媒体に記録する際に、上記モード制御部２において、上記カメラ制御部１及び手振れ制御部５により与えられる上記撮像部の設定状態を示すカメラ設定データに基づいて、上述のアイテム「０１１１」のカメラグループの小アイテムとして定義したＣＯＮＳＵＭＥＲ  ＣＡＭＥＲＡ１、ＣＯＮＳＵＭＥＲ  ＣＡＭＥＲＡ２、ＬＥＮＳ、ＧＡＩＮ、ＰＥＤＥＳＴＡＬ、ＧＡＭＭＡ、ＤＥＴＡＩＬ、ＣＡＭＥＲＡＰＲＩＳＥＴ、ＦＬＡＲＥ、ＳＨＡＤＩＮＧ、ＫＮＥＥ、ＳＨＵＴＴＥＲなどのパックを生成するとともに、上述のＲＥＣ  ＤＡＴＥパック、ＲＥＣ  ＴＩＭＥパック、ＢＩＮＡＲＹ  ＧＲＯＵＰＥパックとして記録年月日、記録時刻等の撮像日時データのパックを生成して、これらのパックを上記画像信号のパックと分離可能に記録媒体に記録する。
【０１３３】
そして、このカメラデータ制御システムでは、図３７に再生時のカメラ設定データの流れを破線で示すように、記録再生部９により記録媒体から再生されたカメラ設定データのパックや撮像日時データのパックが上記チャンネルデコーダ８及び機構制御部７を介して信号処理制御部４に供給される。
【０１３４】
再生時には、上記信号処理制御部４は、上記カメラ設定データのパックや撮像日時データのパックを上記モード制御部２に送信する。そして、上記モード制御部２は、上記信号処理制御部４から送信された上記カメラ設定データのパックや撮像日時データのパックからカメラ設定データ又は撮像日時データをモニタ画面の特定領域に一括表示する表示用データに選択的に変換して、上記表示制御部３に送信する。
【０１３５】
また、上記モード制御部２は、出力形態を指定する図示しない指定手段より選択的に指定される出力形態に応じた表示コマンドを受け付けると、その表示コマンドに応じて第１の出力形態が指定されているときには上記表示制御部３に表示を指示し、第２の出力形態が指定されているときには上記表示制御部３に表示禁止を指示する。
【０１３６】
そして、上記表示制御部３は、指定された出力形態に応じて表示部６を制御して、上記表示部６の画面上の特定領域、例えば図３８に示す電子ビューファインダ内のオンスクリーンディスプレイ上の特定の表示領域ＡＲ０に、カメラ設定データ又は撮像日時データを表示する。
【０１３７】
ここで、上記カメラ設定データは、手振れ補正の有無情報、ＡＥモード情報、シャッタ情報、ホワイトバランス情報、アイリス情報及びゲイン情報が、上記特定の表示領域ＡＲ０に例えば図３９に示すような配置状態で一括表示される。
【０１３８】
なお、上記手振れ補正の有無情報の具体的な表示例を図４０の（Ａ）に示し、また、上記ＡＥモード情報の具体的な表示例を図４０の（Ｂ）に示し、また、上記シャッタ情報の具体的な表示例を図４０の（Ｃ）に示し、また、上記ホワイトバランス情報の具体的な表示例を図４０の（Ｄ）に示し、また、上記アイリス情報及びゲイン情報の具体的な表示例を図４０の（Ｅ）に示す。
【０１３９】
従って、このカメラデータ制御システムでは、ユーザが出力形態を指定することにより、カメラ設定データ又は撮像日時データを必要に応じて確認することができる。
【０１４０】
【発明の効果】
本発明に係る記録再生方法及び記録再生装置では、撮像部により撮像された画像信号を記録媒体に記録する際に、上記撮像部の特定設定状態を表示部の特定領域に表示するとともに、上記撮像部の設定状態を、撮像部設定データに変換して上記付随データのひとつとして付随データの種別を表すヘッダを付与して上記記録エリアの特定のエリアに記録し、上記記録媒体から上記画像信号を再生する際に、選択的に設定される出力形態に応じて、第１の出力形態では、上記記録媒体から上記付随データを画像信号と分離可能に再生し、再生画像信号により表示される画像の撮像時の撮像部設定状態を上記表示部の特定領域に一括表示する表示データに上記撮像部設定データを変換して出力し、第２の出力形態では上記表示データの出力を禁止するので、ユーザが出力形態を指定することによって、撮像部設定データを必要に応じて確認することができる。
【０１４１】
また、本発明に係る記録再生方法及び記録再生装置では、上記撮像部設定データとともに撮像日時を示す日時データを上記画像信号と分離可能に、上記付随データのひとつとして付随データの種別を表すヘッダを付与して上記画像信号の記録エリアに記録し、上記記録媒体から画像信号を再生する際に、上記第１の出力形態では、上記記録媒体から画像信号と分離可能に上記撮像部設定データ又は日時データを再生し、再生した上記撮像部設定データ又は日時データを選択的に表示データに変換して出力するので、ユーザが出力形態を指定することにより、カメラ設定データ又は撮像日時データを必要に応じて確認することができる。
【図面の簡単な説明】
【図１】本発明を適用したカメラ一体型ディジタルＶＴＲに備えられたカメラデータ制御システムの構成を示すブロック図である。
【図２】上記カメラデータ制御システムにおけるカメラ設定データの記録時の流れを示す図である。
【図３】ここで、記録時におけるオンスクリーンディスプレイ上の特定の表示領域を示す図である。
【図４】上記ディジタルＶＴＲの１トラックの記録フォーマットを示す図である。
【図５】プリＳＹＮＣブロック及びポストＳＹＮＣブロックの構造を示す図である。
【図６】オーディオのフレーミングフォーマット及び１ＳＹＮＣブロックの構造を説明する図である。
【図７】１フレーム分の画像データのブロッキングを説明する図である。
【図８】誤り訂正符号が付加されたビデオのフレーミングフォーマットを示す図である。
【図９】ビデオのバッファリングユニット及び１ＳＹＮＣブロックの構成を示す図である。
【図１０】１トラック分のサブコードエリアの構造を説明する図である。
【図１１】オーディオエリア及びビデオエリアにおけるＳＹＮＣブロックのＩＤ部の構造を説明する図である。
【図１２】サブコードエリアにおけるＳＹＮＣブロックのＩＤ部の構造を説明する図である。
【図１３】パックの基本構造を示す図である
【図１４】大アイテムによるパックのグループの定義を示す図である。
【図１５】ＡＡＵＸ  ＳＯＵＲＣＥ  パック、ＡＡＵＸ  ＳＯＵＲＣＥ  ＣＯＮＴＲＯＬパック、ＡＡＵＸ  ＲＥＣ  ＤＡＴＥパック、ＡＡＵＸ  ＲＥＣ  ＴＩＭＥパック及びＡＡＵＸ  ＲＥＣ  ＴＩＭＥ  ＢＩＮＡＲＹ  ＧＲＯＵＰパックの詳細を示す図である。
【図１６】ＡＡＵＸ  ＣＣパック、ＡＡＵＸ  ＳＯＵＲＣＥ  パック、ＶＡＵＸ  ＳＯＵＲＣＥ  ＣＯＮＴＲＯＬパック、ＶＡＵＸ  ＲＥＣ  ＤＡＴＥパック及びＶＡＵＸ  ＲＥＣ  ＴＩＭＥパックの詳細を示す図である。
【図１７】ＶＡＵＸ  ＲＥＣ  ＴＩＭＥ  ＢＩＮＡＲＹ  ＧＲＯＵＰパック及びＶＡＵＸＣＣパックの詳細を示す図である。
【図１８】１フレーム分のＡＡＵＸ領域の構造を説明する図である。
【図１９】１トラック分のＶＡＵＸ領域の構造を説明する図である。
【図２０】１フレーム分のＶＡＵＸ領域の構造を説明する図である。
【図２１】５２５／６０システムのディジタルＶＴＲにおけるサブコードエリアのパックデータの多重書きを説明する図である。
【図２２】６２５／５０システムのディジタルＶＴＲにおけるサブコードエリアのパックデータの多重書きを説明する図である。
【図２３】ＣＯＮＳＵＭＥＲ  ＣＡＭＥＲＡ１パックの詳細を示す図である。
【図２４】ＣＯＮＳＵＭＥＲ  ＣＡＭＥＲＡ２パックの詳細を示す図である。
【図２５】テレビジョン信号のチューナ出力を分析した図である。
【図２６】コンポジットビデオ信号に挿入されているシステムデータを示す図である。
【図２７】ＶＡＵＸ及びＡＡＵＸメインエリアについて説明する図である。
【図２８】ＣＣ信号を示す図である。
【図２９】ＣＣパックについて説明する図である。
【図３０】ＡＡＵＸＣＣパックの格納データとＡＡＵＸＳＯＵＲＣＥパックのＡＵＤＩＯＭＯＤＥとの対応関係の１例を示す図である。
【図３１】ＴＲパックについて説明する図である。
【図３２】ＴＲパック対応ＶＴＲとＴＲパック非対応ＶＴＲの記録時と再生時の動作を説明する図である。
【図３３】ＶＡＵＸＴＲパックの詳細を示す図である。
【図３４】ＶＡＵＸＴＲパックにＶＢＩＤデータ及びＷＳＳデータを格納する様子を示す図である。
【図３５】ＡＡＵＸ  ＴＲパックの詳細を示す図である。
【図３６】ＣＣ、ＶＢＩＤ、ＷＳＳ対応ＶＴＲで記録したトラックフォーマットの１例を示す図である。
【図３７】上記カメラデータ制御システムにおける再生時カメラ設定データの流れを示す図である。
【図３８】再生時におけるオンスクリーンディスプレイ上の特定の表示領域を示す図である。
【図３９】上記特定の表示領域へのカメラ制御データの表示状態を示す図である。
【図４０】上記カメラ制御データの具体的な表示例を示す図である。
【符号の説明】
１  カメラ制御部
２  モード制御部
３  表示制御部
４  信号処制御部
５  手振れ制御部
６  表示部
７  機構制御部
８  チャンネルコーダ
９  記録再生部
【図１】
0003674095.tif 000002
【図２】
0003674095.tif 000003
【図３】
0003674095.tif 000004
【図４】
0003674095.tif 000005
【図５】
0003674095.tif 000006
【図６】
0003674095.tif 000007
【図７】
0003674095.tif 000008
【図８】
0003674095.tif 000009
【図９】
0003674095.tif 000010
【図１０】
0003674095.tif 000011
【図１１】
0003674095.tif 000012
【図１２】
0003674095.tif 000013
【図１３】
0003674095.tif 000014
【図１４】
0003674095.tif 000015
【図１５】
0003674095.tif 000016
【図１６】
0003674095.tif 000017
【図１７】
0003674095.tif 000018
【図１８】
0003674095.tif 000019
【図１９】
0003674095.tif 000020
【図２０】
0003674095.tif 000021
【図２１】
0003674095.tif 000022
【図２２】
0003674095.tif 000023
【図２３】
0003674095.tif 000024
【図２４】
0003674095.tif 000025
【図２５】
0003674095.tif 000026
【図２６】
0003674095.tif 000027
【図２７】
0003674095.tif 000028
【図２８】
0003674095.tif 000029
【図２９】
0003674095.tif 000030
【図３０】
0003674095.tif 000031
【図３１】
0003674095.tif 000032
【図３２】
0003674095.tif 000033
【図３３】
0003674095.tif 000034
【図３４】
0003674095.tif 000035
【図３５】
0003674095.tif 000036
【図３６】
0003674095.tif 000037
【図３７】
0003674095.tif 000038
【図３８】
0003674095.tif 000039
【図３９】
0003674095.tif 000040
【図４０】
0003674095.tif 000041